(57)【特許請求の範囲】
【請求項１】
光を照射する光源部と、
前記光源部に電力を供給する点灯装置と、
前記光源部を片面で保持し、前記点灯装置を別の片面で保持する保持部と、
複数の電気部品を有し、前記複数の電気部品のいずれかが前記点灯装置と電気接続されることで動作するモジュールと、
前記保持部の前記別の片面がある側に取り付けられ、前記モジュールが収納された筐体であり、前記複数の電気部品のうち少なくとも一部の電気部品が収納された部分を有し、当該部分が前記別の片面の外側に位置する筐体と
を備え、
前記筐体は、前記複数の電気部品のうち一部の電気部品が収納された第１収納部を、前記少なくとも一部の電気部品が収納された部分として有するとともに、前記複数の電気部品のうち前記一部の電気部品を除く少なくとも１つの電気部品が収納された第２収納部を有し、
前記保持部は、前記別の片面の両側から立ち上がる側壁部を有し、
前記筐体は、前記第１収納部と前記第２収納部とを連結する連結部をさらに有し、前記第１収納部と前記第２収納部とが並ぶ方向に対して垂直な高さ方向の一端に形成された端面が前記第１収納部、前記第２収納部、前記連結部の順に低くなって、前記側壁部が嵌る溝を形成している光源ユニット。
【請求項２】
前記複数の電気部品には、前記第２収納部に収納されたコネクタが含まれ、
前記第２収納部には、前記コネクタと前記点灯装置とを電気接続するケーブルを前記筐体の外側に通すための開口部が設けられ、
前記保持部の前記別の片面がある側には、前記ケーブルの配線のための空間が設けられた請求項１に記載の光源ユニット。
【請求項３】
前記複数の電気部品には、前記第１収納部に収納されたセンサが含まれる請求項１または請求項２に記載の光源ユニット。
【請求項４】
前記第１収納部は、前記第１収納部と前記第２収納部とが並ぶ方向に対して垂直な高さ方向の一端に形成された端面に、前記センサの少なくとも一部を外部に露出させる開口部が設けられた請求項３に記載の光源ユニット。
【請求項５】
前記保持部の前記片面がある側に取り付けられ、前記光源部を覆うカバー部
をさらに備え、
前記センサの前記高さ方向の両端のうち前記第１収納部から遠い側の一端の位置が、前記カバー部の前記高さ方向の両端のうち前記保持部から遠い側の一端の位置よりも低い請求項４に記載の光源ユニット。
【請求項６】
前記カバー部は、前記光源部の光軸方向に配置されて前記光源部から遠ざかる方向に張り出す第１湾曲部と、前記第１湾曲部の両側に形成されて前記光源部に近づく方向に凹む第２湾曲部とを有し、
前記センサの前記高さ方向の両端のうち前記第１収納部から遠い側の一端の位置が、前記第１湾曲部の片側にある前記第２湾曲部の前記高さ方向の両端のうち前記保持部から遠い側の一端の位置よりも低い請求項５に記載の光源ユニット。
【請求項７】
前記センサは、人感センサである請求項３から請求項６のいずれか１項に記載の光源ユニット。
【請求項８】
請求項１から請求項７のいずれか１項に記載の光源ユニットと、
前記光源ユニットが着脱自在に装着される照明器具と
を備える照明装置。
【請求項９】
前記照明器具は、前記光源ユニットが装着された状態で前記点灯装置と前記筐体の一部とを収納する器具本体を備え、
前記器具本体の側壁には、前記筐体を前記器具本体の外側に通して前記筐体の前記少なくとも一部の電気部品が収納された部分を前記器具本体の外側に配置するための切り欠きが設けられた請求項８に記載の照明装置。
【請求項１０】
前記照明器具は、前記器具本体の側壁の前記切り欠きが設けられた箇所に取り付けられ、前記筐体の前記少なくとも一部の電気部品が収納された部分を、前記切り欠きがある方向を除く複数の方向から囲む囲み部をさらに備える請求項９に記載の照明装置。
【請求項１１】
前記器具本体は、長手状であり、
前記切り欠きは、前記器具本体の長手方向に延びる側壁に設けられ、
前記器具本体の長手方向における、前記囲み部の寸法が、前記筐体の前記少なくとも一部の電気部品が収納された部分の寸法よりも大きい請求項１０に記載の照明装置。
【請求項１２】
前記器具本体の側壁は、前記点灯装置と前記筐体の一部とを収納するための空間を形成する内側壁と、前記光源ユニットが前記照明器具に装着された状態で、前記保持部の前記別の片面に対して斜めに延びる外側壁とからなり、前記切り欠きが前記内側壁と前記外側壁との両方に設けられた請求項９から請求項１１のいずれか１項に記載の照明装置。
【発明の詳細な説明】
【技術分野】
【０００１】
本発明は、光源ユニット及び照明装置に関するものである。
【背景技術】
【０００２】
従来、赤外線センサを備えた人体検知ユニットを、照明器具の器具本体ではなく、器具本体に装着される光源ユニットに設ける技術がある（例えば、特許文献１参照）。
【先行技術文献】
【特許文献】
【０００３】
【特許文献１】特開２０１５−８８３９３号公報
【発明の概要】
【発明が解決しようとする課題】
【０００４】
従来技術において、光源ユニットは、光源と、光源を支持して照明器具の器具本体に着脱自在に取り付けられる取り付け部材と、光源を覆うように取り付け部材に取り付けられるカバーとを備える。カバーは、透光性を有する材料で形成される第１カバー体と、透光性を有さない材料で形成される第２カバー体とを有する。
【０００５】
人体検知ユニットは、矩形箱状の保持部材に収納される。保持部材の先端部には、人体検知ユニットの赤外線センサのレンズが挿通される窓が設けられる。第２カバー体には、矩形箱状の保持部材の先端部を外に露出させるための孔が設けられる。第２カバー体は、人体検知ユニットを収納した状態の保持部材とともに取り付け部材に取り付けられる。
【０００６】
従来技術では、人体検知ユニット及び保持部材の全体が、取り付け部材の片面の１箇所に取り付けられる。よって、当該箇所に大きなスペースを確保しなければならない。当該箇所は、取り付け部材の器具本体に取り付けられる側ではなく、光源を支持する側にあるため、高さ方向においては、他の部材との干渉を考慮する必要はない。しかし、人体検知ユニット及び保持部材がカバーの前方に突出することになるため、光源から照射される光の一部が遮られてしまい、所望の配光が得られなくなるおそれがある。また、照明器具を複数連結する場合には、配光の連続性が損なわれてしまう。
【０００７】
本発明は、モジュールが収納された筐体が取り付けられる箇所に大きなスペースを必要とすることなく、その筐体を配光に影響を与えにくい位置に配置できる光源ユニットを提供することを目的とする。
【課題を解決するための手段】
【０００８】
本発明の一態様に係る光源ユニットは、
光を照射する光源部と、
前記光源部に電力を供給する点灯装置と、
前記光源部を片面で保持し、前記点灯装置を別の片面で保持する保持部と、
複数の電気部品を有し、前記複数の電気部品のいずれかが前記点灯装置と電気接続されることで動作するモジュールと、
前記保持部の前記別の片面がある側に取り付けられ、前記モジュールが収納された筐体であり、前記複数の電気部品のうち少なくとも一部の電気部品が収納された部分を有し、当該部分が前記別の片面の外側に位置する筐体とを備える。
【発明の効果】
【０００９】
本発明では、モジュールが収納された筐体が、モジュールの少なくとも一部の電気部品が収納された部分を有し、当該部分が光源ユニットの保持部の点灯装置を保持する面の外側に配置されている。即ち、当該部分を横に浮かせて筐体の他の部分を保持部に取り付けることが可能である。よって、モジュールが収納された筐体が取り付けられる箇所に大きなスペースを必要とすることなく、その筐体を配光に影響を与えにくい位置に配置できる。
【図面の簡単な説明】
【００１０】
【図１】実施の形態１に係る照明装置の斜視図。
【図２】実施の形態１に係る照明装置の断面図。
【図３】実施の形態１に係る光源ユニットの斜視図。
【図４】実施の形態１に係る光源ユニットの斜視図。
【図５】実施の形態１に係る光源ユニットの斜視図。
【図６】実施の形態１に係るセンサユニットの斜視図。
【図７】実施の形態１に係るセンサユニットの分解斜視図。
【図８】実施の形態１に係るセンサユニットの底面図。
【図９】実施の形態１に係るセンサユニットのＡ−Ａ断面図。
【図１０】実施の形態１に係るセンサユニットのＢ−Ｂ断面図。
【図１１】実施の形態１に係るセンサユニットのＣ−Ｃ断面図。
【図１２】実施の形態１に係る照明器具の斜視図。
【図１３】実施の形態１に係る照明器具の分解斜視図。
【図１４】実施の形態１に係る照明器具のバネ部の斜視図。
【図１５】実施の形態１に係る光源ユニットの連結部の斜視図。
【図１６】実施の形態１の変形例に係る照明装置の断面図。
【図１７】実施の形態１の変形例に係る照明装置の断面図。
【発明を実施するための形態】
【００１１】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１２】
実施の形態１．
本実施の形態に係る装置の構成、本実施の形態の効果を順番に説明する。
【００１３】
＊＊＊構成の説明＊＊＊
図１及び図２を参照して、本実施の形態に係る装置である照明装置１００の構成を説明する。図１は、照明装置１００を斜め下方から見た図である。図２は、照明装置１００の縦断面を示す図である。なお、本実施の形態の説明において、「上方」、「下方」、「側方」、「前方」、「後方」、「斜め上方」、「斜め下方」といった方向は、照明装置１００が天井に取り付けられる場合の方向を示している。照明装置１００は、壁等、天井以外の被取り付け部に取り付けられてもよい。
【００１４】
照明装置１００は、光源ユニット１０１と、光源ユニット１０１が着脱自在に装着される照明器具２００とを備える。本実施の形態において、光源ユニット１０１は、長尺状に形成される。照明器具２００も、長尺状に形成される。照明器具２００は、被取り付け部に設置される。
【００１５】
図２から図５を参照して、光源ユニット１０１の構成を説明する。図３は、光源ユニット１０１を斜め下方から見た図である。図４は、光源ユニット１０１を斜め上方から見た図である。図５は、図４の光源ユニット１０１から、後述するセンサユニット３００を取り外した図である。
【００１６】
光源ユニット１０１は、光源部１１０と、保持部１２０と、点灯装置１６０と、照明制御用のセンサユニット３００とを備える。本実施の形態において、光源ユニット１０１は、さらに、カバー部１３０と、光源蓋部１４０と、連結部１５０とを備える。
【００１７】
光源部１１０は、光を照射する。本実施の形態において、光源部１１０は、複数のＬＥＤ１１１と、これら複数のＬＥＤ１１１が実装された基板１１２とからなる。基板１１２は、光源ユニット１０１が照明器具２００に装着された状態で長尺方向が照明器具２００の長尺方向とほぼ一致するように長尺状に形成される。ＬＥＤ１１１は、基板１１２の長尺方向に沿って直線状に並ぶように基板１１２に配置される。ＬＥＤ１１１としては、例えば４４０ナノメートルから４８０ナノメートル程度の波長の青色光を発するＬＥＤチップ上に青色光を黄色光に波長変換する蛍光体を配してパッケージ化した擬似白色ＬＥＤを用いてもよい。なお、ＬＥＤ１１１に代えて、有機ＥＬ、レーザダイオード等、他の種類の固体発光素子が用いられてもよい。固体発光素子の数は、複数に限らず、１つであってもよい。
【００１８】
保持部１２０は、光源部１１０を片面である保持正面１２３で保持し、点灯装置１６０を別の片面である保持背面１２４で保持する。本実施の形態において、保持部１２０は、長手状である。保持部１２０は、光源部１１０が取り付けられる矩形板状の底壁部１２１と、底壁部１２１の長手方向の両側辺から垂直に突出した側壁部１２２とからなる。即ち、保持部１２０は、片面が保持正面１２３であり、別の片面が保持背面１２４である底壁部１２１と、この別の片面の両側から立ち上がる側壁部１２２とを有する。底壁部１２１の光源部１１０が取り付けられる面である保持正面１２３の反対側の保持背面１２４には、点灯装置１６０だけでなく、連結部１５０も配置される。また、保持背面１２４には、センサユニット３００を着脱可能に保持するために、底壁部１２１の２箇所を切り起こして形成される１対の引っ掛け爪部１７０が設けられる。なお、引っ掛け爪部１７０は、保持部１２０とは別の部材として設けられてもよい。具体的には、引っ掛け爪部１７０は、保持背面１２４にネジ等により固定される別の部材の本体から、保持背面１２４に対して斜め方向へ突出するように形成されてもよい。
【００１９】
カバー部１３０は、保持部１２０の保持正面１２３がある側に取り付けられ、光源部１１０を覆う。本実施の形態において、カバー部１３０は、長手状である。カバー部１３０は、光源部１１０の光軸方向Ｄ１に配置されて光源部１１０から遠ざかる方向に張り出す第１湾曲部１３１と、第１湾曲部１３１の両側に形成されて光源部１１０に近づく方向に凹む第２湾曲部１３２とを有する。第１湾曲部１３１は、断面が円弧状に形成される。第１湾曲部１３１は、光源部１１０から照射される光を拡散させることで配光を制御する。第２湾曲部１３２は、光源ユニット１０１の着脱時に作業者によってつまんで保持される。カバー部１３０は、さらに、断面がコ字状であり、第２湾曲部１３２の端部に形成され、保持部１２０を側壁部１２２側より挟み込むように保持部１２０に固定される接続部１３３を有する。カバー部１３０は、押し出し成形が可能な樹脂材料で形成される。樹脂材料としては、ポリカーボネート（ＰＣ）等が使用される。カバー部１３０には、光の波長変換の機能が付加されてもよい。
【００２０】
光源蓋部１４０は、保持部１２０及びカバー部１３０の長手方向の両端部に形成される開口を塞ぐ。
【００２１】
連結部１５０は、光源ユニット１０１を照明器具２００に固定するための金具である。連結部１５０は、保持部１２０の底壁部１２１の２箇所にネジで固定される。連結部１５０の構造については後述する。
【００２２】
点灯装置１６０は、光源部１１０に電力を供給する。これにより、点灯装置１６０は、光源部１１０を点灯させる。具体的には、点灯装置１６０は、照明器具２００を介して入力される商用電源からの交流電力を直流電力に変換し、この直流電力を光源部１１０に供給することで、光源部１１０を点灯させる。図示していないが、点灯装置１６０は、交流電力を直流電力に変換する点灯回路部を有する。点灯回路部は、図４に示すような点灯装置１６０の箱形状のケースに収容される。点灯装置１６０の長手方向の一端側には、照明器具２００からの給電用の電線が挿し込まれる第１接続部１６１が設けられる。第１接続部１６１は、商用電源からの交流電力を点灯回路部に入力するための１対の入力端子と、点灯回路部を接地するための１つの接地端子とを有するコネクタである。点灯装置１６０の長手方向の他端側には、光源部１１０への給電用の電線と、センサユニット３００への給電用の電線と、センサユニット３００からの信号入力用の電線とが挿し込まれる第２接続部１６２が設けられる。第２接続部１６２は、点灯回路部からの直流電力を光源部１１０に出力するための１対の出力端子を有するコネクタと、点灯回路部からの直流電力をセンサユニット３００に出力するための１対の出力端子、及び、センサユニット３００からの信号を点灯回路部に入力するための１つの入力端子を有するコネクタとからなる。
【００２３】
センサユニット３００は、光源ユニット１０１の外部の事象を観測し、観測の結果に応じて光源部１１０の点灯状態を調整するよう点灯装置１６０を制御する。「外部の事象」は、本実施の形態では人体の存在の有無であるが、明るさ等、他の事象であってもよい。センサユニット３００は、保持部１２０に着脱可能に取り付けられる。
【００２４】
図６から図１１を参照して、センサユニット３００の構成を説明する。図６は、センサユニット３００を斜め下方から見た図である。図７は、図６のセンサユニット３００を分解した図である。図８は、センサユニット３００を下方から見た図である。図９は、センサユニット３００を図８のＡ−Ａ線で切断した断面を示す図である。図１０は、センサユニット３００を図８のＢ−Ｂ線で切断した断面を示す図である。図１１は、センサユニット３００を図８のＣ−Ｃ線で切断した断面を示す図である。なお、図６及び図８から図１１では、後述するケーブル３４０を省略している。
【００２５】
センサユニット３００は、モジュール３１０と、筐体３２０とを備える。
【００２６】
モジュール３１０は、複数の電気部品を有し、これら複数の電気部品のいずれかが点灯装置１６０と電気接続されることで動作する。モジュール３１０は、さらに、これら複数の電気部品が実装された基板３１２を有する。モジュール３１０の複数の電気部品は、本実施の形態では同一の基板３１２に実装されるが、複数の基板に分けて実装されてもよい。
【００２７】
本実施の形態において、「複数の電気部品」には、センサ３１１が含まれる。センサ３１１は、具体的には人感センサであるが、明るさセンサ等、他の種類のセンサであってもよい。人感センサとしては、具体的には焦電型の赤外線センサが用いられるが、カメラ等、他の種類の人感センサであってもよい。「複数の電気部品」には、さらに、コネクタ３１３と、モジュール３１０の動作を設定するための操作用のつまみ３３１が取り付けられたスイッチ３１４とが含まれる。コネクタ３１３には、ケーブル３４０が接続される。スイッチ３１４は１対あり、一方が光源部１１０の点灯状態を保持する時間を設定するためのもの、他方が光源部１１０の点灯状態における調光率を設定するためのものである。それぞれのスイッチ３１４には、鍔部３３２を有するスイッチカバー３３０が嵌められる。つまみ３３１は、スイッチカバー３３０の鍔部３３２から突出するように形成される。
【００２８】
本実施の形態において、基板３１２は、平面視四角形状である。センサ３１１とスイッチ３１４は、基板３１２の対向する２辺のうち一方寄りに配置され、コネクタ３１３は、他方寄りに配置される。図示していないが、基板３１２には、センサ３１１の出力を人体検知信号として出力できるよう信号処理を行う信号処理回路が実装される。人体検知信号は、ケーブル３４０を介して点灯装置１６０に出力される。点灯装置１６０は、人体検知信号に応じて光源部１１０を点灯させる。
【００２９】
筐体３２０は、保持部１２０の保持背面１２４がある側に取り付けられる。筐体３２０には、モジュール３１０が収納される。筐体３２０は、モジュール３１０の複数の電気部品のうち少なくとも一部の電気部品が収納された部分を有し、当該部分が保持背面１２４の外側に位置する。本実施の形態において、筐体３２０は、当該部分として、モジュール３１０の複数の電気部品のうち一部の電気部品が収納された第１収納部４１０を有する。即ち、筐体３２０は、第１収納部４１０が保持背面１２４の外側に位置する。筐体３２０は、さらに、モジュール３１０の複数の電気部品のうち上記一部の電気部品を除く少なくとも１つの電気部品が収納された第２収納部４２０を有し、第２収納部４２０が保持背面１２４の内側に位置する。
【００３０】
本実施の形態において、「少なくとも一部の電気部品」には、センサ３１１と、つまみ３３１付きのスイッチ３１４とが含まれる。「一部の電気部品」にも、センサ３１１と、つまみ３３１付きのスイッチ３１４とが含まれる。即ち、第１収納部４１０には、センサ３１１と、つまみ３３１付きのスイッチ３１４とが収納される。「少なくとも一部の電気部品」及び「一部の電気部品」には、スイッチ３１４に代えて、或いは、スイッチ３１４とともに、同様のつまみ３３１が取り付けられた可変抵抗器が含まれてもよい。モジュール３１０が点灯装置１６０から給電されて動作する代わりに、独自の電源で駆動される場合、「少なくとも一部の電気部品」及び「一部の電気部品」には、さらに、電源回路を構成するトランス、コンデンサ等が含まれてもよい。
【００３１】
「少なくとも１つの電気部品」には、コネクタ３１３が含まれる。即ち、第２収納部４２０には、コネクタ３１３が収納される。
【００３２】
第２収納部４２０は、第１収納部４１０の片側に配置される。即ち、本実施の形態では、センサ３１１を除く少なくとも１つの電気部品を収納する第２収納部４２０が、センサ３１１を収納する第１収納部４１０の両側ではなく、片側のみに配置される。したがって、第１収納部４１０を横に浮かせて第２収納部４２０を保持部１２０に取り付けることが可能である。即ち、保持部１２０のセンサユニット３００が取り付けられる箇所に大きなスペースを必要とすることなく、配光に影響を与えにくいセンサユニット３００の配置が可能となる。
【００３３】
なお、本実施の形態では、第１収納部４１０が、保持部１２０の短手方向に沿って保持部１２０に隣接するが、照明器具２００を複数連結する必要がないのであれば、第１収納部４１０が、保持部１２０の長手方向に沿って保持部１２０に隣接する構成を採用してもよい。
【００３４】
第１収納部４１０と第２収納部４２０とが並ぶ方向Ｄ２に対して垂直な高さ方向Ｄ３において、第２収納部４２０の寸法は、第１収納部４１０の寸法よりも小さい。即ち、本実施の形態では、第２収納部４２０の高さが第１収納部４１０の高さよりも低い。したがって、保持部１２０のセンサユニット３００が取り付けられる箇所で、高さ方向Ｄ３に必要なスペースを小さくすることができ、センサユニット３００と照明器具２００にある他の部材とのクリアランスを確保しやすくなる。
【００３５】
高さ方向Ｄ３において、モジュール３１０の複数の電気部品のうち第２収納部４２０に収納された電気部品の寸法は、モジュール３１０の複数の電気部品のうち第１収納部４１０に収納された電気部品の寸法よりも小さい。即ち、本実施の形態では、背の高い部品であるセンサ３１１と、つまみ３３１付きのスイッチ３１４とが第１収納部４１０に収納されて保持部１２０の外側に配置され、背の低い部品であるコネクタ３１３が第１収納部４１０に収納されて保持部１２０の内側に配置される。したがって、保持部１２０の内側で、高さ方向Ｄ３に必要なスペースを小さくすることができ、センサユニット３００と照明器具２００にある他の部材とのクリアランスを確保しやすくなる。
【００３６】
第１収納部４１０の高さ方向Ｄ３の一端に形成された端面４１１には、センサ３１１の少なくとも一部を外部に露出させる開口部４１２が設けられる。図２に示したように、センサ３１１の高さ方向Ｄ３の両端のうち第１収納部４１０から遠い側の一端の位置Ｐ１は、カバー部１３０の高さ方向Ｄ３の両端のうち保持部１２０から遠い側の一端の位置Ｐ２よりも低い。本実施の形態において、センサ３１１の高さ方向Ｄ３の両端のうち第１収納部４１０から遠い側の一端の位置Ｐ１は、さらに、第１湾曲部１３１の片側にある第２湾曲部１３２の高さ方向Ｄ３の両端のうち保持部１２０から遠い側の一端の位置Ｐ３よりも低い。これにより、センサユニット３００が保持部１２０に取り付けられた状態において、カバー部１３０をセンサ３１１の検知範囲Ｒ１と干渉しない位置に配置することができる。また、センサ３１１を、光源部１１０のＬＥＤ１１１と、カバー部１３０の第１湾曲部１３１と第２湾曲部１３２との境界とを結ぶ配光線Ｌ１よりも内側に配置することができる。したがって、センサユニット３００の存在による光源ユニット１０１の配光への影響を抑制しつつ、センサユニット３００の所望の検知範囲Ｒ１を得ることが可能となる。
【００３７】
また、第１収納部４１０の端面４１１には、スイッチ３１４に取り付けられたつまみ３３１の少なくとも一部を外部に露出させる開口部４１３が設けられる。
【００３８】
また、第１収納部４１０の端面４１１には段差が設けられ、高い段４１４に、センサ３１１の少なくとも一部を外部に露出させる開口部４１２、低い段４１５に、つまみ３３１の少なくとも一部を外部に露出させる開口部４１３が設けられる。高い段４１４の開口部４１２は、開口部４１２から突出するセンサ３１１のレンズ部分の外周と同じ形状及び大きさになるように形成される。このため、開口部４１２から筐体３２０の内部への塵埃の進入を防ぐことができる。低い段４１５の開口部４１３は、開口部４１３から突出するつまみ３３１のスライド方向において、スイッチカバー３３０の鍔部３３２よりも小さく、つまみ３３１よりも十分大きく、かつ、スライド方向と垂直な方向において、鍔部３３２よりも小さく、つまみ３３１の大きさ以上となるように形成される。このため、つまみ３３１をスライド可能としつつ、開口部４１３から筐体３２０の内部への塵埃の進入を防ぐことができる。スイッチカバー３３０の鍔部３３２は、塵埃の進入の防止だけでなく、低い段４１５の内側の面に接触することで、スイッチカバー３３０がスイッチ３１４に確実に嵌まるようにして、操作された際にスイッチカバー３３０がスイッチ３１４からずれることを抑制し、操作性を向上させる役割を持つ。
【００３９】
第２収納部４２０の高さ方向Ｄ３の一端に形成された端面４２１には、第２収納部４２０をセンサユニット３００の外部の部材である保持部１２０の底壁部１２１に設置する際に端面４２１を底壁部１２１に固定するための固定部４２２が設けられる。固定部４２２は、保持部１２０の保持背面１２４の引っ掛け爪部１７０が設けられた箇所に対応する位置に設けられ、本実施の形態では端面４２１の２箇所に設けられる。端面４２１の固定部４２２が設けられた箇所には、引っ掛け爪部１７０を挿入するための長手状の貫通孔５０１が形成される。固定部４２２は、貫通孔５０１の長手方向の一端縁付近を貫通孔５０１の短手方向に沿って跨ぐように形成された受け部５１１と、貫通孔５０１の長手方向の他端縁から貫通孔５０１の長手方向に沿って途中まで延びるように形成された突出片５１２とからなる。受け部５１１は、貫通孔５０１の短手方向の一端縁から立ち上がり、貫通孔５０１に対して同じ高さを保ちながら、貫通孔５０１の短手方向の他端縁まで延びて、貫通孔５０１の短手方向の他端縁で立ち下がる。突出片５１２は、貫通孔５０１の短手方向の両端縁との間に一定の隙間を保ちつつ、貫通孔５０１の長手方向の他端縁から延びて、途中から第２収納部４２０の内側に向かって緩やかに傾斜しながら、受け部５１１よりも手前の位置まで延びる。センサユニット３００が保持部１２０に取り付けられる際には、引っ掛け爪部１７０が貫通孔５０１の長手方向の他端縁から徐々に貫通孔５０１に挿し込まれる。このとき、突出片５１２は、引っ掛け爪部１７０により押圧されて弾性変形する。引っ掛け爪部１７０が貫通孔５０１の長手方向の一端縁付近まで到達して受け部５１１に引っ掛けられると、突出片５１２は、引っ掛け爪部１７０から外れ、弾性変形する前の状態に戻る。これにより、突出片５１２は、受け部５１１に引っ掛けられた引っ掛け爪部１７０が貫通孔５０１の長手方向に沿って動き、自然に抜けることを防止する。前述したように、突出片５１２は、途中から緩やかに傾斜しているため、センサユニット３００が保持部１２０から取り外される際には、引っ掛け爪部１７０により突出片５１２を押圧して弾性変形させることで、引っ掛け爪部１７０を貫通孔５０１から容易に抜き去ることができる。
【００４０】
また、第２収納部４２０の端面４２１には、第２収納部４２０をセンサユニット３００の外部の部材である保持部１２０の底壁部１２１に設置する際に端面４２１と底壁部１２１との間に隙間を確保するための突起部４２３が設けられる。この隙間は、点灯装置１６０に設けられた第２接続部１６２に接続される、光源部１１０への給電用の電線の配線のために利用することができる。なお、本実施の形態では、端面４２１の四隅に突起部４２３が設けられているが、３個以下又は５個以上の突起部４２３が設けられてもよく、また、端面４２１の中心等に突起部４２３が設けられてもよい。
【００４１】
また、第２収納部４２０には、コネクタ３１３に接続されたケーブル３４０を筐体３２０の外側に通すための開口部４２４が設けられる。開口部４２４は、本実施の形態では第２収納部４２０の一側面に設けられる。ケーブル３４０は、コネクタ３１３と点灯装置１６０とを電気接続する。ケーブル３４０は、具体的には、点灯装置１６０に設けられた第２接続部１６２に接続される、センサユニット３００への給電用の電線と、センサユニット３００からの信号入力用の電線とからなる。図４に示したように、保持部１２０の保持背面１２４がある側には、ケーブル３４０の配線のための空間１２５が設けられる。なお、図４では、ケーブル３４０を省略している。
【００４２】
筐体３２０は、さらに、第１収納部４１０と第２収納部４２０とを連結する連結部４３０を有する。
【００４３】
第１収納部４１０と第２収納部４２０と連結部４３０とのそれぞれの高さ方向Ｄ３の一端に形成された端面４１１，４２１，４３１は、第１収納部４１０、第２収納部４２０、連結部４３０の順に低くなって、保持部１２０の側壁部１２２が嵌る溝４３２を形成する。
【００４４】
モジュール３１０の複数の電気部品が実装された基板３１２は、第１収納部４１０と連結部４３０と第２収納部４２０とに跨って配置される。
【００４５】
筐体３２０は、さらに、突出部４４０を有する。突出部４４０は、照明装置１００の梱包時に、センサユニット３００を照明器具２００に嵌め込んで固定するために使われるが、その使い方の詳細については後述する。
【００４６】
本実施の形態において、筐体３２０は、１つの面が開口したケース本体３２１と、ケース本体３２１の開口を塞ぐケース蓋３２２とからなる。ケース蓋３２２は、ケース蓋３２２の外壁面がケース本体３２１の内壁面に当たるようにケース本体３２１に取り付けられる。ケース本体３２１の底面は、前述した第１収納部４１０の端面４１１と第２収納部４２０の端面４２１と連結部４３０の端面４３１とで構成される。ケース本体３２１の底面には、前述した溝４３２が形成される。
【００４７】
ここで、センサユニット３００の保持部１２０への取り付け方法を説明する。
【００４８】
センサユニット３００は、保持部１２０の保持背面１２４がある側に配置され、保持部１２０の引っ掛け爪部１７０が固定部４２２の突出片５１２を押しながら、端面４２１の貫通孔５０１に入り込むように、スライドさせられる。センサユニット３００は、引っ掛け爪部１７０が固定部４２２の受け部５１１に引っ掛かるように、さらにスライドさせられる。引っ掛け爪部１７０が受け部５１１に引っ掛かると、突出片５１２が引っ掛け爪部１７０を押さえ、引っ掛け爪部１７０の移動を制限する。
【００４９】
センサユニット３００が保持部１２０に取り付けられた状態では、センサユニット３００の溝４３２に保持部１２０の側壁部１２２が嵌り込んでいる。また、第２収納部４２０が保持部１２０の底壁部１２１と１対の側壁部１２２とによって囲まれた空間に配置され、第１収納部４１０が光源ユニット１０１の短手方向における側方に配置されている。
【００５０】
ここで、センサユニット３００の点灯装置１６０との接続方法を説明する。
【００５１】
センサユニット３００は、ケーブル３４０のコネクタ３１３と接続されている側とは反対側の端子を点灯装置１６０の第２接続部１６２に接続することで、点灯装置１６０と電気的及び信号的に接続される。このとき、ケーブル３４０は、第２収納部４２０の開口部４２４から引き出された部分が、第２収納部４２０と保持部１２０の底壁部１２１と１対の側壁部１２２と点灯装置１６０とによって囲まれた空間１２５に配置される。
【００５２】
光源部１１０の光束等、光源ユニット１０１の仕様の違いによって点灯装置１６０の配置及び大きさが異なる場合があり、センサユニット３００と点灯装置１６０との間の距離が変わることがある。このような距離の変化に対応できるように、ケーブル３４０としては、ある程度長いものを使用することが望ましい。センサユニット３００と点灯装置１６０との間の距離が短い場合、ケーブル３４０の長さが余ることになるが、本実施の形態では、ケーブル３４０の配線のための空間１２５が確保されているため、余った部分も容易に配線することができる。
【００５３】
図１２及び図１３を参照して、照明器具２００の構成を説明する。図１２は、照明器具２００を斜め下方から見た図である。図１３は、図１２の照明器具２００を分解した図である。
【００５４】
照明器具２００は、器具本体２０１と、囲み部２５０とを備える。本実施の形態において、照明器具２００は、さらに、バネ部２３０と、端子台２４０とを備える。
【００５５】
器具本体２０１は、光源ユニット１０１が装着された状態で点灯装置１６０とセンサユニット３００の筐体３２０の一部とを収納する。具体的には、器具本体２０１は、点灯装置１６０と筐体３２０の第２収納部４２０とを収納する。本実施の形態において、器具本体２０１は、長手状である。
【００５６】
器具本体２０１の側壁２１１には、センサユニット３００の筐体３２０を器具本体２０１の外側に通して筐体３２０の第１収納部４１０を器具本体２０１の外側に配置するための切り欠き２１４が設けられる。本実施の形態において、器具本体２０１の側壁２１１は、器具本体２０１の長手方向に延びる。器具本体２０１の側壁２１１は、点灯装置１６０と筐体３２０の第１収納部４１０とを収納するための空間（収容凹部２１０）を形成する内側壁２２１と、光源ユニット１０１が照明器具２００に装着された状態で、保持部１２０の保持背面１２４に対して斜めに延びる外側壁２２２とからなる。切り欠き２１４は、内側壁２２１と外側壁２２２との両方に設けられる。内側壁２２１と外側壁２２２は、それぞれ１対あるが、切り欠き２１４は、片側の内側壁２２１と外側壁２２２とに設けられる。切り欠き２１４によって、内側壁２２１及び外側壁２２２がセンサユニット３００と干渉することを回避できる。
【００５７】
器具本体２０１の底壁２１２には、バネ部２３０と端子台２４０とが取り付けられる。器具本体２０１の底壁２１２は、被取り付け部に当たるように被取り付け部に固定される。器具本体２０１の底壁２１２には、商用電源に接続された電線を引き込むための引き込み孔２１６と、ボルト等の固定具により器具本体２０１を被取り付け部へ固定するための固定孔２１７が設けられる。
【００５８】
器具本体２０１の側壁２１１及び底壁２１２は、収容凹部２１０を形成する。収容凹部２１０は、器具本体２０１の短手方向の中央部に、器具本体２０１の長手方向に沿って長尺状に形成される。収容凹部２１０には、光源ユニット１０１の一部が挿入される。外側壁２２２は、収容凹部２１０の開口の長手方向における両側縁から被取り付け部方向へ互いに離れるように傾斜する。
【００５９】
収容凹部２１０の幅は、図８に示した長さＭ１と等しい。即ち、器具本体２０１の一方の側壁２１１から他方の側壁２１１までの距離は、センサユニット３００の筐体３２０の長さと筐体３２０の長さ方向に突出した突出部４４０の長さとの合計と等しい。そのため、照明装置１００の梱包時には、センサユニット３００を収容凹部２１０に嵌め込んで固定することができ、梱包のスペースを節約できる。
【００６０】
器具本体２０１には、器具本体２０１の長手方向の両端部に形成される開口を塞ぐ蓋部２１５が取り付けられる。
【００６１】
端子台２４０は、引き込み孔２１６から引き込まれた電線と接続し、商用電源から供給される電力を点灯装置１６０に供給する。そのために、端子台２４０は、給電用の電線を介して点灯装置１６０の第１接続部１６１に接続される。
【００６２】
囲み部２５０は、器具本体２０１の側壁２１１の切り欠き２１４が設けられた箇所に取り付けられ、センサユニット３００の筐体３２０の第１収納部４１０を、切り欠き２１４がある方向を除く複数の方向から囲む。具体的には、囲み部２５０は、第１収納部４１０を側方の３方と上方とから囲む目隠し金具である。即ち、囲み部２５０は、囲み部２５０は、隣接する２面が開口した箱形状の目隠し金具である。高さ方向において、囲み部２５０の寸法は、第１収納部４１０を覆うことができ、かつ、切り欠き２１４の上端縁に当たるような寸法である。また、器具本体２０１の長手方向において、囲み部２５０の寸法は、筐体３２０の第１収納部４１０の寸法よりも大きい。そのため、第１収納部４１０が斜めの状態でも第１収納部４１０を囲み部２５０に挿入できる。光源ユニット１０１が照明器具２００に装着される過程では、光源ユニット１０１が一時的に斜めの状態になることがあるが、そのような場合でも、第１収納部４１０を囲み部２５０に挿入できるため、光源ユニット１０１の装着がスムーズに行える。
【００６３】
バネ部２３０は、図１４に示すように、器具本体２０１の底壁２１２に固定される固定部２３１と、円弧状に湾曲した円弧部２３２と、円弧部２３２の固定部２３１につながる側とは反対側にある先端部２３３とを有する。ここで、図１４は、バネ部２３０を斜め下方から見た図である。バネ部２３０は、器具本体２０１の底壁２１２において、器具本体２０１の長手方向の両端付近に１つずつ配置される。
【００６４】
前述した光源ユニット１０１の連結部１５０には、図１５に示すように、バネ部２３０の円弧部２３２が挿し込まれる穴１５１が形成される。ここで、図１５は、連結部１５０を斜め上方から見た図である。穴１５１にバネ部２３０の先端部２３３を引っ掛けることで、照明器具２００に光源ユニット１０１を仮保持させることができる。光源ユニット１０１が仮保持状態から装着状態に移行する過程では、穴１５１に対してバネ部２３０の円弧部２３２が摺動する。連結部１５０は、保持部１２０の保持背面１２４において、バネ部２３０に対応するように２つ配置される。
【００６５】
連結部１５０は、保持部１２０の底壁部１２１に固定される１対の固定部１５２と、それぞれの固定部１５２に対して垂直に突出するように設けられ、前述した穴１５１が形成された穴開き部１５３と、穴開き部１５３の固定部１５２につながる側とは反対側にある先端部１５４とを有する。先端部１５４は、光源ユニット１０１が照明器具２００に取り付けられた状態において、器具本体２０１の底壁２１２に当たる。
【００６６】
ここで、光源ユニット１０１の照明器具２００への装着方法を説明する。
【００６７】
まず、照明器具２００のバネ部２３０の先端部２３３が、光源ユニット１０１の連結部１５０の穴１５１に引っ掛けられる。
【００６８】
次に、光源ユニット１０１が照明器具２００側へ押し込まれることで、センサユニット３００の第２収納部４２０を含む光源ユニット１０１の一部が照明器具２００の収容凹部２１０の内側に挿入される。このとき、バネ部２３０の円弧部２３２が連結部１５０の穴１５１の縁部で摺動しながら、連結部１５０の先端部１５４が器具本体２０１の底壁２１２に当たるまで、光源ユニット１０１が押し込まれる。これにより、光源ユニット１０１が照明器具２００に固定される。また、センサユニット３００の第１収納部４１０が照明器具２００の囲み部２５０に収納される。
【００６９】
＊＊＊実施の形態の効果の説明＊＊＊
本実施の形態では、センサユニット３００の筐体３２０が、第１収納部４１０と第２収納部４２０とに分かれており、第２収納部４２０の高さが第１収納部４１０の高さよりも低くなっている。このため、第１収納部４１０を横に浮かせて第２収納部４２０を取り付けるといったことが可能である。即ち、センサユニット３００が取り付けられる箇所に大きなスペースを必要とすることなく、配光に影響を与えにくいセンサユニット３００の配置が可能となる。
【００７０】
本実施の形態によれば、センサユニット３００による配光への影響を抑制した光源ユニット１０１を提供することができる。
【００７１】
また、本実施の形態によれば、センサユニット３００を容易に光源ユニット１０１の保持部１２０へ装着することができるとともに、センサユニット３００を簡単な配線で光源ユニット１０１の点灯装置１６０と接続することができる。
【００７２】
また、本実施の形態によれば、センサユニット３００の損傷を防ぐとともに、意匠性を保ちながら、センサユニット３００を収納するための空間が形成された照明器具２００を提供することができる。
【００７３】
本実施の形態に係るセンサユニット３００では、光源ユニット１０１の外側に突き出す第１収納部４１０に、背の高い部品であるセンサ３１１及びスイッチ３１４が収納され、側壁部１２２と保持背面１２４とに囲まれた空間に配置される第２収納部４２０に、背の低い部品であるコネクタ３１３が収納される。また、第１収納部４１０と第２収納部４２０との間に、側壁部１２２が挿し込まれる溝４３２が形成されている。これにより、センサユニット３００を容易に光源ユニット１０１の保持部１２０に取り付けることができる。
【００７４】
また、第２収納部４２０には、保持背面１２４への固定用の固定部４２２が設けられているため、センサユニット３００の取り付けをより強固にすることができる。
【００７５】
本実施の形態では、コネクタ３１３が収納された第２収納部４２０が側壁部１２２と保持背面１２４とに囲まれた空間に配置されるため、センサユニット３００をケーブル３４０により点灯装置１６０と容易に接続することができる。
【００７６】
また、ケーブル３４０が側壁部１２２と保持背面１２４とに囲まれた空間１２５に配置されるため、センサユニット３００を保持部１２０に装着した光源ユニット１０１を照明器具２００に取り付ける際に、ケーブル３４０が器具本体２０１に干渉し、損傷を受けることを防げる。
【００７７】
本実施の形態では、第１収納部４１０に背の高い部品を配置し、第２収納部４２０に背の低い部品を配置しているため、光源ユニット１０１が照明器具２００に取り付けられた際に、第２収納部４２０と器具本体２０１の底壁２１２との間の空間を大きくとることができる。
【００７８】
本実施の形態では、光源ユニット１０１のカバー部１３０が、センサユニット３００のセンサ３１１の検知範囲Ｒ１と干渉しない。また、光源部１１０のＬＥＤ１１１と、カバー部１３０の第１湾曲部１３１と第２湾曲部１３２との境界とを結ぶ配光線Ｌ１よりも内側に第１収納部４１０が配置されるように、センサユニット３００が保持部１２０に装着される。このため、センサユニット３００の存在による光源ユニット１０１の配光への影響を抑制しつつ、センサユニット３００の所望の検知範囲Ｒ１を得ることができる。
【００７９】
本実施の形態では、囲み部２５０が切り欠き２１４に配置されることで、器具本体２０１の内側が見えることを防げる。また、切り欠き２１４が見えることも防げるため、切り欠き２１４の存在による意匠性の低下を抑制することができる。切り欠き２１４を覆って隠すことは、特に器具本体２０１をカラー鋼板等で形成する際に効果的である。
【００８０】
また、器具本体２０１の長手方向において、囲み部２５０の寸法は、第１収納部４１０の寸法よりも大きい。そのため、光源ユニット１０１を照明器具２００に取り付ける際に、光源ユニット１０１が斜めに押し込まれても、センサユニット３００を囲み部２５０に衝突させることなく第１収納部４１０を囲み部２５０に収納することができる。
【００８１】
本実施の形態では、第１収納部４１０が光源ユニット１０１の長手方向の側方に配置されるため、照明装置１００を複数台連結しても、光の連続性を保つことができる。
【００８２】
＊＊＊他の構成＊＊＊
本実施の形態では、連結部１５０及び点灯装置１６０が光源ユニット１０１に設けられており、バネ部２３０が照明器具２００に設けられている。しかし、これらの構成要素は、連結部１５０にバネ部２３０が引っ掛けられるといった対応関係に相違なければ、光源ユニット１０１と照明器具２００とのどちらに設けられてもよい。
【００８３】
本実施の形態では、固定部４２２によりセンサユニット３００を保持部１２０に強固に固定しているが、固定部４２２をなくして、センサユニット３００を保持部１２０と囲み部２５０との間に挟む構成を採用してもよい。
【００８４】
本実施の形態では、センサユニット３００に溝４３２が形成され、溝４３２に側壁部１２２が挿し込まれる構成を採用しているが、溝４３２を設ける代わりに、側壁部１２２に切り欠きを設ける構成を採用してもよい。
【００８５】
本実施の形態の変形例として、センサユニット３００に代えて、点灯装置１６０を制御するか、或いは、点灯装置１６０によって制御される他の種類のユニットが保持部１２０に取り付けられてもよい。そのユニットの筐体３２０が、第１収納部４１０と第２収納部４２０とに分かれており、第２収納部４２０の高さが第１収納部４１０の高さよりも低くなっていれば、本実施の形態と同じように、第１収納部４１０を横に浮かせて第２収納部４２０を取り付けるといったことが可能である。
【００８６】
本実施の形態では、照明器具２００に逆富士型の構成を採用しているが、図１６に示すようなトラフ型の構成、或いは、図１７に示すような埋め込み型の構成を採用してもよい。
【００８７】
以上、本発明の実施の形態について説明したが、この実施の形態を部分的に実施しても構わない。具体的には、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【符号の説明】
【００８８】
１００  照明装置、１０１  光源ユニット、１１０  光源部、１１１  ＬＥＤ、１１２  基板、１２０  保持部、１２１  底壁部、１２２  側壁部、１２３  保持正面、１２４  保持背面、１２５  空間、１３０  カバー部、１３１  第１湾曲部、１３２  第２湾曲部、１３３  接続部、１４０  光源蓋部、１５０  連結部、１５１  穴、１５２  固定部、１５３  穴開き部、１５４  先端部、１６０  点灯装置、１６１  第１接続部、１６２  第２接続部、１７０  引っ掛け爪部、２００  照明器具、２０１  器具本体、２１０  収容凹部、２１１  側壁、２１２  底壁、２１４  切り欠き、２１５  蓋部、２１６  引き込み孔、２１７  固定孔、２２１  内側壁、２２２  外側壁、２３０  バネ部、２３１  固定部、２３２  円弧部、２３３  先端部、２４０  端子台、２５０  囲み部、３００  センサユニット、３１０  モジュール、３１１  センサ、３１２  基板、３１３  コネクタ、３１４  スイッチ、３２０  筐体、３２１  ケース本体、３２２  ケース蓋、３３０  スイッチカバー、３３１  つまみ、３３２  鍔部、３４０  ケーブル、４１０  第１収納部、４１１  端面、４１２  開口部、４１３  開口部、４１４  高い段、４１５  低い段、４２０  第２収納部、４２１  端面、４２２  固定部、４２３  突起部、４２４  開口部、４３０  連結部、４３１  端面、４３２  溝、４４０  突出部、５０１  貫通孔、５１１  受け部、５１２  突出片。
【図１】
0006598545.tif 000002
【図２】
0006598545.tif 000003
【図３】
0006598545.tif 000004
【図４】
0006598545.tif 000005
【図５】
0006598545.tif 000006
【図６】
0006598545.tif 000007
【図７】
0006598545.tif 000008
【図８】
0006598545.tif 000009
【図９】
0006598545.tif 000010
【図１０】
0006598545.tif 000011
【図１１】
0006598545.tif 000012
【図１２】
0006598545.tif 000013
【図１３】
0006598545.tif 000014
【図１４】
0006598545.tif 000015
【図１５】
0006598545.tif 000016
【図１６】
0006598545.tif 000017
【図１７】
0006598545.tif 000018